(57)【要約】【課題】マニュアルで発光量を調整できる電子閃光装置において、撮影者に分かりやすい入力方法及び設定表示方法を提供する。【解決手段】電子閃光装置は、発光部と、設定部と、発光量演算部と、発光制御部とを備えている。設定部は、撮影距離の入力手段を有している。発光量演算部は、撮影距離に応じて、適正な露光を与える適正発光量を求める。発光制御部は、適正発光量で発光部に発光させる。このため、ガイドナンバや１／２発光等の光量に関する知識のないユーザも、撮影距離を入力することで、容易に適正発光量に設定できる。【選択図】　　　図１
2004038092.tif 000002
【特許請求の範囲】
【請求項１】
被写体に光を照射する発光部と、
撮影距離の入力手段を有する設定部と、
前記撮影距離に応じて適正な露光を与える適正発光量を求める発光量演算部と、
前記適正発光量で前記発光部に発光させる発光制御部と
を備えていることを特徴とする電子閃光装置。
【請求項２】
被写体に光を照射する発光部と、
撮影距離の入力手段を有する設定部と、
前記撮影距離に応じて適正な露光を与える適正発光量を求め、求めた前記適正発光量が前記発光部の発光可能範囲から外れた場合、前記適正発光量が前記発光可能範囲内になるカメラ側の絞り値を推奨絞り値として求める推奨値演算を行う発光量演算部と、
前記適正発光量で前記発光部に発光させる発光制御部と、
前記推奨絞り値を警告表示する表示部と
を備えていることを特徴とする電子閃光装置。
【請求項３】
被写体に光を照射する発光部と、
撮影距離の入力手段を有する設定部と、
前記撮影距離に応じて適正な露光を与える適正発光量を求め、求めた前記適正発光量が前記発光部の発光可能範囲から外れた場合、前記適正発光量が前記発光可能範囲内になるカメラ側の撮像感度を推奨撮像感度として求める推奨値演算を行う発光量演算部と、
前記適正発光量で前記発光部に発光させる発光制御部と、
前記推奨撮像感度を警告表示する表示部と
を備えていることを特徴とする電子閃光装置。
【請求項４】
被写体に光を照射する発光部と、
カメラ側の絞り値の入力手段と前記カメラ側から前記絞り値を取得する手段の少なくともいずれかを有するとともに撮影距離の入力手段を有する設定部と、
前記絞り値及び前記撮影距離に応じて適正な露光を与える適正発光量を求め、求めた前記適正発光量が前記発光部の発光可能範囲から外れた場合、前記適正発光量が前記発光可能範囲内になる前記絞り値を推奨絞り値として求める推奨値演算を行い、前記設定部の前記絞り値を前記推奨絞り値に変更し、前記推奨絞り値に応じて前記適正発光量を変更する発光量演算部と、
前記適正発光量で前記発光部に発光させる発光制御部と
を備えていることを特徴とする電子閃光装置。
【請求項５】
被写体に光を照射する発光部と、
カメラ側の撮像感度の入力手段と前記カメラ側から前記撮像感度を取得する手段の少なくともいずれかを有するとともに撮影距離の入力手段を有する設定部と、
前記撮像感度及び前記撮影距離に応じて適正な露光を与える適正発光量を求め、求めた前記適正発光量が前記発光部の発光可能範囲から外れた場合、前記適正発光量が前記発光可能範囲内になる前記撮像感度を推奨撮像感度として求める推奨値演算を行い、前記設定部の前記撮像感度を前記推奨撮像感度に変更し、前記推奨撮像感度に応じて前記適正発光量を変更する発光量演算部と、
前記適正発光量で前記発光部に発光させる発光制御部と
を備えていることを特徴とする電子閃光装置。
【請求項６】
請求項１〜請求項５のいずれか１記載の電子閃光装置において、
前記設定部は、増光または減光するための調光補正値の入力手段を有し、
前記発光量演算部は、前記適正発光量を前記調光補正値に応じて変更する
ことを特徴とする電子閃光装置。
【請求項７】
請求項１〜請求項６のいずれか１項記載の電子閃光装置において、
前記設定部は、前記カメラ側の撮影レンズの画角に関する情報の入力手段、及び前記画角に関する情報を取得する手段の少なくともいずれかを有し、
前記発光制御部は、前記画角に応じて、前記発光部の発光の配光角を調整し、前記推奨値演算は、前記配光角により決まる前記発光可能範囲に応じて行われる
ことを特徴とする電子閃光装置。
【発明の詳細な説明】
【０００１】
【発明の属する技術分野】
本発明は、マニュアルで発光量を調整できる電子閃光装置に関する。
【０００２】
【従来の技術】
電子閃光装置の発光モードの１つとして、ユーザが発光量を任意に選択できる光量選択マニュアルモードが知られている。図９は、この光量選択マニュアルモードの動作の一例を示す流れ図である。以下、図９に示すステップ番号に従って、光量選択マニュアルモードの動作の一例を説明する。
【０００３】
［ステップ１］　電子閃光装置とカメラとのデータ交信が行われる場合、カメラのＣＰＵ（図示せず）から電子閃光装置のＣＰＵ（図示せず）に、ＩＳＯ値（フィルムまたは撮像素子の撮像感度）、撮影レンズの絞り値、焦点距離が伝達される。電子閃光装置とカメラとのデータ交信が行われない場合、ユーザは、ＩＳＯ値、絞り値、焦点距離を電子閃光装置に入力する。
【０００４】
［ステップ２］　ユーザは、例えば、Ｍ１／１、Ｍ１／２・・・Ｍ１／６４のように表示される発光量のいずれかを選択する。
［ステップ３］　電子閃光装置のＣＰＵは、選択された発光量を、ＩＳＯ値に応じて発光ガイドナンバに換算する。そして、発光ガイドナンバ及び絞り値に応じて、適正撮影距離を求め、表示する。このときの演算は、発光ガイドナンバをＧ、適正撮影距離をＬ、絞り値をＦとすれば、
Ｌ＝Ｇ÷Ｆ　で表される。
【０００５】
［ステップ４］　ユーザは、選択した発光量に対して増光または減光したい場合、調光補正値を入力する。
［ステップ５］　ステップ４で調光補正値が入力された場合、電子閃光装置のＣＰＵは、調光補正値に応じて発光量を変更し、変更後の発光量に対する適正撮影距離を求める。そして、新たに求められた適正撮影距離が表示される。
【０００６】
【発明が解決しようとする課題】
図１０は、上述した光量選択マニュアルモードにおける、電子閃光装置の表示窓の表示例を示す説明図である。図１０（ａ）に示すように、例えば、撮影条件がＩＳＯ値１００、絞り値８で、Ｍ１／４（発光ガイドナンバＧ＝１６に対応するとする）が選択された場合、適正撮影距離２メートルが表示窓２８の中央に表示される。
【０００７】
この後、例えば、調光補正値＋０．７ＥＶが入力された場合、発光ガイドナンバＧ≒２０に増光設定される。そして、図１０（ｂ）に示すように、表示窓２８の中央の適正撮影距離の表示は、光量設定の変更に連動して２．５メートルに切り替わる。ユーザがこれを警告と誤解して、撮影距離を２メートルから２．５メートルに変更すると、増光設定した意味がなくなってしまう。
【０００８】
また、図１０（ａ）の状態で、例えば、調光補正値−０．７ＥＶが入力された場合、発光ガイドナンバＧ≒１３に減光設定される。そして、図１０（ｃ）に示すように、表示窓２８の中央の適正撮影距離の表示は、光量設定の変更に連動して１．６メートルに切り替わる。ユーザがこれを警告と誤解して、撮影距離を２メートルから１．６メートルに変更すると、減光設定した意味がなくなってしまう。
【０００９】
すなわち、上述した光量選択マニュアルモードでは、発光量の選択後に調光補正値を入力した場合、適正撮影距離の表示が変更される。従って、ユーザは混乱する、あるいは、誤解して撮影距離を調光補正値の入力後に表示される適正撮影距離に変更しかねないという問題があった。特に、ガイドナンバや１／２発光といった光量に関する知識のない初心者が使い慣れるまでには時間を要するため、より分かりやすい入力方法が望まれていた。
【００１０】
本発明の目的は、マニュアルで発光量を調整できる電子閃光装置において、ユーザに分かりやすい入力方法を提供することである。
【００１１】
【課題を解決するための手段】
《請求項１》
電子閃光装置は、発光部と、設定部と、発光量演算部と、発光制御部とを備えている。発光部は、被写体に光を照射する。設定部は、撮影距離の入力手段を有している。発光量演算部は、撮影距離に応じて、適正な露光を与える適正発光量を求める。発光制御部は、適正発光量で発光部に発光させる。
【００１２】
《請求項２》
電子閃光装置は、発光部と、設定部と、発光量演算部と、発光制御部と、表示部とを備えている。発光部は、被写体に光を照射する。設定部は、撮影距離の入力手段を有している。発光量演算部は、撮影距離に応じて、適正な露光を与える適正発光量を求める。求めた適正発光量が発光部の発光可能範囲から外れた場合、発光量演算部は、適正発光量が発光可能範囲内になるカメラ側の絞り値を推奨絞り値として求める推奨値演算を行う。発光制御部は、適正発光量で発光部に発光させる。表示部は、推奨絞り値を警告表示する。
【００１３】
《請求項３》
電子閃光装置は、発光部と、設定部と、発光量演算部と、発光制御部と、表示部とを備えている。発光部は、被写体に光を照射する。設定部は、撮影距離の入力手段を有している。発光量演算部は、撮影距離に応じて、適正な露光を与える適正発光量を求める。求めた適正発光量が発光部の発光可能範囲から外れた場合、発光量演算部は、適正発光量が発光可能範囲内になるカメラ側の撮像感度を推奨撮像感度として求める推奨値演算を行う。発光制御部は、適正発光量で発光部に発光させる。表示部は、推奨撮像感度を警告表示する。
【００１４】
《請求項４》
電子閃光装置は、発光部と、設定部と、発光量演算部と、発光制御部とを備えている。発光部は、被写体に光を照射する。設定部は、カメラ側の絞り値の入力手段とカメラ側から絞り値を取得する手段の少なくともいずれかと、撮影距離の入力手段とを有している。発光量演算部は、絞り値及び撮影距離に応じて、適正な露光を与える適正発光量を求める。求めた適正発光量が発光部の発光可能範囲から外れた場合、発光量演算部は、適正発光量が発光可能範囲内になるカメラ側の絞り値を推奨絞り値として求める推奨値演算を行う。そして、発光量演算部は、設定部の絞り値を推奨絞り値に変更し、推奨絞り値に応じて適正発光量を変更する。発光制御部は、適正発光量で発光部に発光させる。
【００１５】
《請求項５》
電子閃光装置は、発光部と、設定部と、発光量演算部と、発光制御部とを備えている。発光部は、被写体に光を照射する。設定部は、カメラ側の撮像感度の入力手段とカメラ側から撮像感度を取得する手段の少なくともいずれかと、撮影距離の入力手段とを有している。発光量演算部は、撮像感度及び撮影距離に応じて、適正な露光を与える適正発光量を求める。求めた適正発光量が発光部の発光可能範囲から外れた場合、発光量演算部は、適正発光量が発光可能範囲内になるカメラ側の撮像感度を推奨撮像感度として求める推奨値演算を行う。そして、発光量演算部は、設定部の撮像感度を推奨撮像感度に変更し、推奨撮像感度に応じて適正発光量を変更する。発光制御部は、適正発光量で発光部に発光させる。
【００１６】
《請求項６》
設定部は、適正発光量に対して増光または減光するための調光補正値の入力手段を有している。発光量演算部は、調光補正値に応じて、適正発光量を変更する。
《請求項７》
設定部は、カメラ側の撮影レンズの画角に関する情報の入力手段、及び画角に関する情報を取得する手段の少なくともいずれかを有している。発光制御部は、画角に応じて、発光部の発光の配光角を調整する。そして、発光量演算部による推奨値演算は、配光角により決まる発光部の発光可能範囲に応じて行われる。
【００１７】
【発明の実施の形態】
以下、図面を用いて本発明の実施形態を説明する。
《第１の実施形態の構成》
図１は、本発明の電子閃光装置の第１の実施形態を示すブロック図である。本実施形態は、請求項１〜請求項３、請求項６、及び請求項７に対応している。本実施形態の電子閃光装置３０は、後述するように、入力される撮影距離に応じて適正発光量を演算する距離選択マニュアルモードと、ＴＴＬ調光モードとを切り替え可能である。
【００１８】
電子閃光装置３０は、本体部３２と、発光部３４と、発光部３４を本体部３２に回転自在に取り付けている回転軸３６とで構成されている。本体部３２は、通信部４０と、設定部４２と、発光量演算部４４と、表示部４６と、発光制御部４８とで構成されている。
通信部４０は、カメラ（図示せず）に接続されるシュー接点５０（後述する図２参照）を有している。電子閃光装置３０がデータ交信可能なカメラに装着されている場合、通信部４０は、カメラからＩＳＯ値（フィルムまたは撮像素子の撮像感度）、撮影レンズの絞り値、焦点距離を取得し、設定部４２に伝達する。また、通信部４０は、取得した焦点距離を発光制御部４８に伝達する。
【００１９】
設定部４２は、操作釦群５２を有している（後述する図２参照）。操作釦群５２は、発光制御部４８を距離選択マニュアルモードとＴＴＬ調光モードのいずれかに設定し、ＩＳＯ値、絞り値、焦点距離、撮影距離、調光補正値を入力するのに用いられる。設定部４２は、ＩＳＯ値、絞り値、焦点距離が入力された場合、これら入力された値を発光量演算部４４に伝達する。設定部４２は、通信部４０からＩＳＯ値、絞り値、焦点距離を伝達された場合、これら伝達された値を発光量演算部４４に伝達する。また、設定部４２は、入力された撮影距離、調光補正値を発光量演算部４４に伝達する。さらに、設定部４２は、入力または伝達されたＩＳＯ値、絞り値、焦点距離、撮影距離、調光補正値を表示部４６にも伝達する。
【００２０】
発光量演算部４４は、絞り値と撮影距離との積で与えられる適正ガイドナンバ（適正発光量）を求める。また、発光量演算部４４は、調光補正値に応じて、求めた適正ガイドナンバを変更する。例えば、調光補正値として＋１．０が入力されると、適正ガイドナンバは√２倍に増光される。発光量演算部４４は、適正ガイドナンバが発光部３４の発光可能範囲から外れた場合に、推奨絞り値または推奨撮像感度を求める演算を行う。なお、本実施形態では、発光部３４の最大ガイドナンバ（最大発光量）は、ＩＳＯ値及び焦点距離により決定される。これは、単位立体角当たりの照射光量を決める発光部３４の配光角は、後述するように、焦点距離に応じて調整されるためである。
【００２１】
発光制御部４８は、距離選択マニュアルモードに設定されている場合、適正ガイドナンバで発光部３４に発光させる。発光制御部４８は、ＴＴＬ調光モードに設定されている場合、カメラから受ける発光起動信号及び発光停止信号に応じて、発光部３４に発光させる。発光制御部４８は、伝達された焦点距離からカメラの撮影レンズの画角を概算する。発光制御部４８は、発光部３４の配光角が画角よりわずかに大きくなるように、発光部３４に指令する。
【００２２】
発光部３４は、キセノン管５４と、配光角調整部５６と、バウンス角度表示部５８とで構成されている。
キセノン管５４は、発光制御部４８からの指令に応じて、充電されたコンデンサ（図示せず）から電流を供給され、発光する。
配光角調整部５６は、発光制御部４８からの指令に応じて、発光部３４の配光角を調整する。
【００２３】
なお、発光制御部４８は、図示しない昇圧部と測光部とを有しており、電子閃光装置３０は、距離選択マニュアルモード及びＴＴＬ調光モード以外に、外部調光モードも有している。
【００２４】
昇圧部は、図示しない電源から供給される電圧を昇圧し、昇圧した電圧をコンデンサに充電する。
電子閃光装置３０が外部調光モードに設定されている場合、以下のように各部は動作する。測光部は、被写体からの反射光量を検出し、発光制御部４８に出力する。発光量演算部４４は、反射光量の時間積分値の適正値を求め、発光制御部４８に伝達する。発光制御部４８は、測光部から出力される反射光量の時間積分値が適正値に達した時点で、キセノン管の発光を停止させる。この外部調光モードは、従来からあるものなので、本実施形態では説明を省略する。
【００２５】
図２は、設定部４２及び表示部４６の詳細を示している。設定部４２の操作釦群５２は、モード釦６２と、選択釦６４と、プラス釦６６と、マイナス釦６８とを有している。モード釦６２は、押圧の都度、発光制御部４８を距離選択マニュアルモードまたはＴＴＬ調光モードに切り替える。選択釦６４は、押圧の都度、設定部４２及び表示部４６をＩＳＯ値、絞り値、焦点距離、撮影距離、調光補正値のいずれかのパラメータの入力画面に設定する。プラス釦６６及びマイナス釦６８は、各パラメータの入力画面において、値を入力または選択するのに用いられる。設定部４２には、例えば、以下に示すような６分の１段刻みの撮影距離の値がプリセットされている。
【００２６】
０．５０　　０．５３　　０．５６　　０．５９　　０．６２　　０．６７　　０．７１　　０．７５　　０．７９　　０．８４　　０．８９　　０．９４１．００　　１．０５　　１．１２　　１．１９　　１．２６　　１．３３　　１．４１　　１．５０　　１．５９　　１．６８　　１．７８　　１．８９２．００　　２．１２　　２．２４　　２．３８　　２．５２　　２．６７　　２．８３　　３．００　　３．１７　　３．３６　　３．５６　　３．７８４．００　　４．２４　　４．４９　　４．７６　　５．０４　　５．３４　　５．６６　　５．９９　　６．３５　　６．７３　　７．１３　　７．５５８．００　　８．４８　　８．９８　　９．５１　　１０．１　　１０．７　　１１．３　　１２．０　　１２．７　　１３．５　　１４．３　　１５．１１６．０　　１７．０　　１８．０　　１９．０　　２０．２　　２１．４　　２２．０　（単位はメートル）
また、設定部４２には、例えば、以下に示すような３分の１段刻みの調光補正値がプリセットされている。
【００２７】
−３．０　　−２．７　　−２．３　　−２．０・・・０．０　　＋０．３　　＋０．７　　＋１．０・・・＋３．０
ユーザは、操作釦群５２を操作することで、上記した値のいずれかから撮影距離及び調光補正値を選択できる。
表示部４６は、図２に示すように、左上にＩＳＯ値を、右上に調光補正値（ＥＶ）を、中央に撮影距離を、左下に焦点距離を、撮影距離の下に絞り値を表示する。また、表示部４６は、ＩＳＯ値表示の右側に電子閃光装置３０の発光モードを表示する。距離選択マニュアルモードに設定されている場合、図のように「ＤＭ」と表示され、ＴＴＬ調光モードに設定されている場合、「ＴＴＬ」と表示される。
【００２８】
《第１の実施形態の動作》
図３は、本実施形態の電子閃光装置３０の動作を示す流れ図である。以下、図３に示すステップ番号に従って、発光までの動作を説明する。
［ステップ１］　ユーザが距離選択マニュアルモードを選択した場合、表示部４６の上部に「ＤＭ」と表示される。そして、ステップ２に進む。ユーザが距離選択マニュアルモードを選択しない場合、ステップ１４に進む。
【００２９】
［ステップ２］　電子閃光装置３０とカメラとのデータ交信が行われる場合、ステップ３に進み、データ交信が行われない場合、ステップ４に進む。
［ステップ３］　電子閃光装置３０は、カメラからＩＳＯ値、絞り値、焦点距離を取得する。表示部４６は、取得したＩＳＯ値、絞り値、焦点距離を表示する。［ステップ４］　ユーザは、ＩＳＯ値、絞り値、焦点距離を設定部４２に入力する。表示部４６は、入力されたＩＳＯ値、絞り値、焦点距離を表示する。
【００３０】
［ステップ５］　ユーザは、撮影距離を設定部４２に入力する。表示部４６は、入力された撮影距離を表示する。
［ステップ６］　発光制御部４８は、焦点距離に応じて、配光角調整部５６に発光部３４の配光角を調節させる。発光量演算部４４は、適正ガイドナンバを求める。
【００３１】
［ステップ７］　ユーザは、増光または減光したい場合、調光補正値を選択入力する。発光量演算部４４は、調光補正値に応じて適正ガイドナンバを変更する。調光補正値が入力されない場合、適正ガイドナンバは変更されない。
［ステップ８］　発光量演算部４４は、ＩＳＯ値及び焦点距離から発光部３４の最大ガイドナンバ（最大発光量）及び最小ガイドナンバ（最小発光量）を求める。発光量演算部４４は、適正ガイドナンバが発光可能範囲内かを判別する。適正ガイドナンバが発光可能範囲内の場合、発光量演算部４４は、発光制御部４８に適正ガイドナンバを伝達する。そして、ステップ９に進む。適正ガイドナンバが発光可能範囲外の場合、ステップ１２に進む。
【００３２】
［ステップ９］　ユーザが撮影条件の再設定を選択した場合、ステップ２へ戻る。ユーザが撮影条件を再設定しない場合、ステップ１０に進む。
［ステップ１０］　カメラのレリーズ釦（図示せず）が全押しされた場合、ステップ１１へ進む。レリーズ釦の押圧が解除された場合、ステップ１へ戻る。
［ステップ１１］　発光制御部４８は、通信部４０を介してカメラから発光起動信号を受け、露光時間に同期して、適正ガイドナンバでキセノン管５４に発光させる。
【００３３】
［ステップ１２］　ステップ８で、適正ガイドナンバが発光可能範囲外であった場合の処理である。発光量演算部４４は、以下の（１）〜（４）の場合に分けて演算処理を行う（請求項記載の推奨値演算に対応）。
（１）カメラがフィルムカメラで、適正ガイドナンバが最大ガイドナンバより大きい場合
発光量演算部４４は、適正ガイドナンバを最大ガイドナンバに等しくする絞り値を、推奨絞り値として求める。この際、発光可能範囲を超えた適正ガイドナンバ及び設定されている絞り値でフィルムに与える露光量と、最大ガイドナンバ及び推奨絞り値での露光量とを等しくする。この演算は、例えば、次式において、
【数１】
2004038092.tif 000003
ＧＮに最大ガイドナンバを、Ｄに撮影距離を、ＥＶに調光補正値を代入することで求まるＦを推奨絞り値とするものである。
【００３４】
（２）カメラがフィルムカメラで、適正ガイドナンバが最小ガイドナンバより小さい場合
発光量演算部４４は、適正ガイドナンバを最小ガイドナンバに等しくする絞り値を、推奨絞り値として求める。この際、発光可能範囲より小さい適正ガイドナンバ及び設定されている絞り値でフィルムに与える露光量と、最小ガイドナンバ及び推奨絞り値での露光量とを等しくする。この演算は、例えば、（１）式において、ＧＮに最小ガイドナンバを、Ｄに撮影距離を、ＥＶに調光補正値を代入することで求まるＦを推奨絞り値とするものである。
【００３５】
（３）カメラがデジタルカメラで、適正ガイドナンバが最大ガイドナンバより大きい場合
発光量演算部４４は、適正ガイドナンバを最大ガイドナンバに等しくする絞り値を、（１）と同様に推奨絞り値として求める。また、発光量演算部４４は、最大ガイドナンバを適正ガイドナンバに等しくするＩＳＯ値を、推奨ＩＳＯ値（推奨撮像感度）として求める。この演算は、例えば、次式において、
【数２】
2004038092.tif 000004
Ｄに撮影距離を、Ｆに絞り値を、ＥＶに調光補正値を、ＧＮにＩＳＯ値が１００のときの最大ガイドナンバを代入することで求まるＳを推奨ＩＳＯ値とするものである。
【００３６】
（４）カメラがデジタルカメラで、適正ガイドナンバが最小ガイドナンバより小さい場合
発光量演算部４４は、適正ガイドナンバを最小ガイドナンバに等しくする絞り値を、（２）と同様に推奨絞り値として求める。また、発光量演算部４４は、最小ガイドナンバを適正ガイドナンバに等しくするＩＳＯ値を、推奨ＩＳＯ値として求める。この演算は、例えば、（２）式において、Ｄに撮影距離を、Ｆに絞り値を、ＥＶに調光補正値を、ＧＮにＩＳＯ値が１００のときの最小ガイドナンバを代入することで求まるＳを推奨ＩＳＯ値とするものである。
【００３７】
（１）または（２）の処理が行われた場合、表示部４６は、ステップ３または４で設定された絞り値の表示を点滅させることで警告し、推奨絞り値も表示する。（３）または（４）の処理が行われた場合、表示部４６は、ステップ３または４で設定された絞り値及びＩＳＯ値を点滅させることで警告し、推奨絞り値及び推奨ＩＳＯ値も表示する。そして、ステップ１３に進む。
【００３８】
［ステップ１３］　ユーザが撮影条件を再設定する場合、ステップ２に戻る。ユーザが撮影条件を再設定しない場合、ステップ１４に進む。
［ステップ１４］　ステップ１で距離選択マニュアルモードが選択されなかった場合、またはステップ１３でユーザが撮影条件の再設定を選択しなかった場合の処理である。発光制御部４８は、ＴＴＬ調光モードに設定される。また、表示部４６の上部には、「ＤＭ」の代わりに「ＴＴＬ」と表示される。
【００３９】
［ステップ１５］　カメラのレリーズ釦が全押しされた場合、ステップ１６へ進む。カメラから撮影条件の変更を伝達された場合、ステップ１へ戻る。
［ステップ１６］　発光制御部４８は、通信部４０を介してカメラから受ける発光起動信号及び発光停止信号に応じて、発光部３４に発光させる。
《第１の実施形態の表示例》
図４は、表示部４６の表示例を示している。図４（ａ）は、上述したステップ３でＩＳＯ値１００、絞り値１６、焦点距離３５ミリメートルをデジタルカメラから伝達され、ステップ５で撮影距離２．８３メートルが選択された場合を示している。このとき、発光量演算部４４は、適正ガイドナンバ４５を算出している。例えば、この条件での最大ガイドナンバは３２であり、調光補正値は入力されなかったとする。この場合、最大ガイドナンバ３２で発光すると露光不足になるが、絞り値を下げて露光量を大きくするか、撮像素子のＩＳＯ値を高めれば、露光量は適正範囲内になる。
【００４０】
従って、表示部４６は、図４（ｂ）に示すように、設定された絞り値及びＩＳＯ値の表示を点滅させることで警告し、推奨絞り値１１及び推奨ＩＳＯ値２００を表示する。この後、例えば、デジタルカメラの撮像素子のＩＳＯ値が２００以上に変更される（この例では２００）と、デジタルカメラは変更後のＩＳＯ値を電子閃光装置３０に伝達する。そして、図４（ｃ）に示すように、推奨ＩＳＯ値及び推奨絞り値の表示は消える。
【００４１】
なお、本実施形態では、発光量は表示されない。これは、表示される情報が多すぎるために、ユーザがどのパラメータを見ればよいか迷うおそれを小さくするためである。従って、適正ガイドナンバ及び発光可能範囲を求める演算に必要な情報のみ（ＩＳＯ値、絞り値、焦点距離、撮影距離、調光補正値）が表示される。
図５は、表示部４６の別の表示例を示している。図５（ａ）は、ＩＳＯ値１００、絞り値２．８、焦点距離３５ミリメートル、撮影距離０．５メートルが入力された場合を示している。このとき、発光量演算部４４は、適正ガイドナンバ１．４を算出している。例えば、この条件での最小ガイドナンバは１であり、電子閃光装置３０はフィルムカメラとともに用いられており、調光補正値−２．０が入力され、発光量演算部４４は適正ガイドナンバを０．７に変更したとする。この場合、最小ガイドナンバ１で発光すると露光過度になるが、絞り値を上げて露光量を小さくすれば、露光量は適正範囲内になる。
【００４２】
従って、表示部４６は、図５（ｂ）に示すように、設定された絞り値の表示を点滅させることで警告し、その右側に推奨絞り値４も表示する。この後、例えば、ユーザが絞り値を４以上に変更すると（この例では４）、図５（ｃ）に示すように、推奨絞り値の表示は消える。
《第１の実施形態の効果・従来の動作機構との違い》
従来の光量選択マニュアルモードでは、ユーザに発光量を選択させ、選択された発光量での適正撮影距離を表示していた。このため、発光量の選択後に調光補正値を入力すると、発光量の変更に連動して適正撮影距離の表示も切り替わっていた。
【００４３】
そこで、本実施形態では、従来とは異なる動作機構の距離選択マニュアルモードを提案した。すなわち、発光量ではなく、撮影距離をユーザに選択させ（ステップ５）、撮影距離に応じて適正ガイドナンバを求め（ステップ６）、適正ガイドナンバで発光させた（ステップ１１）。このため、ユーザは、ＩＳＯ値、絞り値、焦点距離の設定後は、撮影距離を入力するだけで、適正な光量で被写体を照明できる。従って、ガイドナンバや、１／２発光等の光量に関する知識のないユーザも、容易に適正発光量に設定できる。
【００４４】
図４及び図５に示したように、撮影距離の選択後は、調光補正値の入力の有無及び適正ガイドナンバが発光可能範囲内かに拘わらず、表示部４６は選択された撮影距離を表示し続ける。従って、従来の光量選択マニュアルモードのように、撮影距離の表示が変更されることで、ユーザは混乱する、あるいは、誤解して撮影距離を新たに表示される距離に変更するおそれはなくなる。
【００４５】
入力される調光補正値に応じて、適正ガイドナンバを変更させた（ステップ７）。このため、撮影条件に応じて、通常の適正露光量よりオーバーまたはアンダーな露光量になるように、発光量を調整できる。
適正ガイドナンバが最大ガイドナンバを超えた場合に、適正ガイドナンバが最大ガイドナンバに等しくなる推奨絞り値を表示させた（ステップ１２）。同様に、適正ガイドナンバが最小ガイドナンバより小さい場合に、適正ガイドナンバが最小ガイドナンバに等しくなる推奨絞り値を表示させた。このため、ユーザは、どのように設定を変更すれば、最小の変更量で、発光量を発光可能範囲内にできるかを容易に認識できる。
【００４６】
適正ガイドナンバが最大ガイドナンバを超えた場合、最大ガイドナンバを適正ガイドナンバまで高める推奨ＩＳＯ値を求めた（ステップ１２）。同様に、適正ガイドナンバが最小ガイドナンバより小さい場合、最小ガイドナンバを適正ガイドナンバまで下げる推奨ＩＳＯ値を求めた。このため、ユーザは、ＩＳＯ値を推奨ＩＳＯ値に変更するだけで、変更前に求められた適正ガイドナンバでの発光を可能にできる。
【００４７】
発光制御部４８は、焦点距離に応じてカメラ側の撮影レンズの画角を概算し、発光部３４の配光角が画角よりわずかに大きくなるように調整した（ステップ６）。このため、ほぼ画角内に収まる部分にのみ、光は照射される。従って、画角に応じて、単位立体角当たりに照射される光量（最大ガイドナンバ）を最大限にできる。
【００４８】
《第２の実施形態の構成・動作》
次に、本発明の電子閃光装置の第２の実施形態を説明する。本実施形態は、請求項１、及び請求項４〜請求項７に対応している。本実施形態は、発光量演算部、設定部、及び表示部の動作が異なることを除いて、第１の実施形態と同じ構成である。このため、本実施形態の構成に関する説明及び図面を省略する。なお、第１の実施形態と区別するため、本実施形態での電子閃光装置を３０Ｂ、設定部を４２ｂ、発光量演算部を４４ｂ、表示部を４６ｂと表記する。
【００４９】
図６は、本実施形態の電子閃光装置３０Ｂの動作を示す流れ図である。第１の実施形態と同一処理部分には、同一ステップ番号を付し、これ等処理については説明を省略する。本実施形態の電子閃光装置３０Ｂは、第１の実施形態のステップ１２及び１３の処理の代わりに、以下に説明するステップ１７の処理を行うことを除いて、第１の実施形態と同様に動作する。
【００５０】
［ステップ１７］　ステップ８で、適正ガイドナンバが発光可能範囲外であった場合の処理である。発光量演算部４４ｂは、以下の（１）〜（４）の場合に分けて演算処理を行い（請求項記載の推奨値演算に対応）、設定部４２ｂ及び表示部４６ｂは、発光量演算部４４ｂの処理に応じて動作する。
（１）カメラがフィルムカメラで、適正ガイドナンバが最大ガイドナンバより大きい場合
発光量演算部４４ｂは、適正ガイドナンバが最大ガイドナンバに等しくなる絞り値を、推奨絞り値として求め、設定部４２に伝達する。設定部４２は、伝達された推奨絞り値に絞り値を変更し、変更後の絞り値を表示部４６ｂに伝達する。表示部４６ｂは、変更後の絞り値を点滅表示する（変更前の絞り値は表示されない）。また、発光量演算部４４ｂは、絞り値を推奨絞り値に変更し、適正ガイドナンバを最大ガイドナンバと同じ値に変更する。発光量演算部４４ｂは、変更後の適正ガイドナンバを発光制御部４８に伝達する。
【００５１】
（２）カメラがフィルムカメラで、適正ガイドナンバが最小ガイドナンバより小さい場合
発光量演算部４４ｂは、適正ガイドナンバが最小ガイドナンバに等しくなる絞り値を、推奨絞り値として求め、設定部４２ｂに伝達する。設定部４２ｂは、伝達された推奨絞り値に絞り値を変更し、変更後の絞り値を表示部４６ｂに伝達する。表示部４６ｂは、変更後の絞り値を点滅表示する。また、発光量演算部４４ｂは、絞り値を推奨絞り値に変更し、適正ガイドナンバを最小ガイドナンバと同じ値に変更する。発光量演算部４４ｂは、変更後の適正ガイドナンバを発光制御部４８に伝達する。
【００５２】
（３）カメラがデジタルカメラで、適正ガイドナンバが最大ガイドナンバより大きい場合
発光量演算部４４ｂは、最大ガイドナンバを適正ガイドナンバに等しくするＩＳＯ値を、推奨ＩＳＯ値として求め、設定部４２ｂに伝達する。設定部４２ｂは、伝達された推奨ＩＳＯ値にＩＳＯ値を変更し、変更後のＩＳＯ値を表示部４６ｂに伝達する。表示部４６ｂは、変更後のＩＳＯ値を点滅表示する（変更前のＩＳＯ値は表示されない）。また、発光量演算部４４ｂは、ＩＳＯ値を推奨ＩＳＯ値に変更し、最大ガイドナンバを適正ガイドナンバと同じ値に変更する。発光量演算部４４ｂは、適正ガイドナンバを発光制御部４８に伝達する。
【００５３】
（４）カメラがデジタルカメラで、適正ガイドナンバが最小ガイドナンバより小さい場合
発光量演算部４４ｂは、最小ガイドナンバを適正ガイドナンバに等しくするＩＳＯ値を、推奨ＩＳＯ値として求め、設定部４２ｂに伝達する。設定部４２ｂは、伝達された推奨ＩＳＯ値にＩＳＯ値を変更し、変更後のＩＳＯ値を表示部４６ｂに伝達する。表示部４６ｂは、変更後のＩＳＯ値を点滅表示する。また、発光量演算部４４ｂは、ＩＳＯ値を推奨ＩＳＯ値に変更し、最小ガイドナンバを適正ガイドナンバと同じ値に変更する。発光量演算部４４ｂは、適正ガイドナンバを発光制御部４８に伝達する。
【００５４】
《第２の実施形態の表示例》
図７は、表示部４６ｂの表示例を示している。図７（ａ）は、ＩＳＯ値１００、絞り値２、焦点距離３５ミリメートルをデジタルカメラから伝達され、撮影距離１メートルが入力された場合を示している。このとき、発光量演算部４４ｂは、適正ガイドナンバ２を算出している。例えば、この条件での最小ガイドナンバは１であり、この後、調光補正値として−３．０が入力されたとする。この場合、表示部４６は、図４（ｂ）に示すように、調光補正値の入力とほぼ同時に、ＩＳＯ値５０を点滅表示することで警告する。これにより、ユーザは、デジタルカメラのＩＳＯ値を５０に変更すれば、適正露光量を与える発光を実施できることを知らされる。
【００５５】
図８は、表示部４６ｂの別の表示例を示している。図８（ａ）は、ＩＳＯ値１００、絞り値２、焦点距離３５ミリメートル、撮影距離１６．０メートルが入力された場合を示している。このとき、発光量演算部４４ｂは、適正ガイドナンバ３２を算出している。例えば、この条件での最大ガイドナンバは３２であり、電子閃光装置はフィルムカメラとともに用いられており、調光補正値＋１．０が入力されたとする。この場合、表示部４６ｂは、図８（ｂ）に示すように、調光補正値の入力とほぼ同時に、絞り値１．４を点滅表示することで警告する。これにより、ユーザは、フィルムカメラの絞り値を１．４に変更すれば、適正露光量を与える発光を実施できることを知らされる。
【００５６】
《第２の実施形態の効果》
以上、第２の実施形態においても、上述した第１の実施形態と同様の効果を得ることができる。さらに、本実施形態では、適正ガイドナンバが発光可能範囲から外れた場合、発光量演算部４４ｂ及び設定部４２ｂは、絞り値（またはＩＳＯ値）を推奨絞り値（または推奨ＩＳＯ値）に自動的に変更し、表示部４６ｂは変更後の絞り値（またはＩＳＯ値）を点滅表示した。このため、ユーザは、カメラ側の絞り値（またはＩＳＯ値）を点滅表示された値に変更した後、電子閃光装置３０ｂの設定を変更する必要がないため、少ない操作量で撮影を実施できる。
【００５７】
《本発明の補足事項》
なお、上述した第１の実施形態では、入力された（またはカメラ側から伝達された）絞り値と、推奨絞り値の両方を表示した例を述べた。本発明は、かかる実施形態に限定されるものではない。例えば、両方を交互に点滅表示してもよい。ＩＳＯ値の表示に関しても同様である。
【００５８】
上述した第１及び第２の実施形態では、発光量を表示しない例について述べた。本発明は、かかる実施形態に限定されるものではない。発光量を表示してもよい。
上述した第１及び第２の実施形態では、プリセットされた複数の値から撮影距離、調光補正値を選択する例について述べた。本発明は、かかる実施形態に限定されるものではない。ユーザが任意の値をＩＳＯ値、絞り値、焦点距離、撮影距離、または調光補正値として入力する形態でもよい。
【００５９】
上述した第１及び第２の実施形態では、電子閃光装置３０（３０Ｂ）は、カメラに接続されることでカメラとのデータ交信を行う例について述べた。本発明は、かかる実施形態に限定されるものではない。電子閃光装置３０（３０Ｂ）が電波等によりカメラ側とのデータ交信を行う形態でもよい。
上述した第１及び第２の実施形態では、設定部４２（４２ｂ）は焦点距離情報を取得し、発光制御部４８及び発光量演算部４４（４４ｂ）は焦点距離からカメラの撮影レンズの画角を概算する例について述べた。本発明は、かかる実施形態に限定されるものではない。例えば、焦点距離及びカメラがピントを合わせている被写体の距離から、撮影レンズの画角をより正確に求める形態でもよい。あるいは、撮影レンズの画角を直接入力または取得する形態でもよい。
【００６０】
上述した第１及び第２の実施形態では、発光部３４の配光角は、撮影レンズの画角よりわずかに大きくされる例について述べた。本発明は、かかる実施形態に限定されるものではない。発光部３４の配光角を画角に等しくしてもよい。演算された適正ガイドナンバが最小ガイドナンバより小さい場合、配光角を画角より大きくすることで、最小ガイドナンバをさらに小さくしてもよい。
【００６１】
上述した第１の実施形態では、設定された絞り値（ＩＳＯ値）の表示を点滅させることで警告し、推奨値を表示する例について述べ、第２の実施形態では、設定された絞り値（ＩＳＯ値）の表示を消して推奨値を点滅表示することで警告する例について述べた。本発明は、かかる実施形態に限定されるものではない。例えば、「絞り値を１１に変更して下さい」と推奨値を音声で知らせることで警告してもよい。
【００６２】
上述した第２の実施形態では、絞り値、ＩＳＯ値、撮影距離等を表示部に表示する例について述べた。本発明は、かかる実施形態に限定されるものではない。例えば、ダイヤルで撮影距離等を選択させ、適正ガイドナンバが発光可能範囲外であった場合の変更後の絞り値（ＩＳＯ値）を音声で知らせるようにすることで、表示部を省いてもよい。
【００６３】
【発明の効果】
本発明の電子閃光装置では、撮影距離をユーザに入力させ、撮影距離に応じて適正発光量を求めた。従って、ガイドナンバや、１／２発光等の光量に関する知識のないユーザも、容易に適正発光量に設定できる。
【図面の簡単な説明】
【図１】本発明の電子閃光装置の第１の実施形態を示すブロック図である。
【図２】図１の設定部及び表示部の詳細を示す正面図である。
【図３】第１の実施形態における、電子閃光装置の動作を示す流れ図である。
【図４】第１の実施形態における、表示部の表示例を示す説明図である。
【図５】第１の実施形態における、表示部の別の表示例を示す説明図である。
【図６】第２の実施形態における、電子閃光装置の動作を示す流れ図である。
【図７】第２の実施形態における、表示部の表示例を示す説明図である。
【図８】第２の実施形態における、表示部の別の表示例を示す説明図である。
【図９】光量選択マニュアルモードの動作の一例を示す流れ図である。
【図１０】光量選択マニュアルモードにおける、表示窓の表示例を示す説明図である。
【符号の説明】
２８　表示窓
３０、３０Ｂ　電子閃光装置
３２　本体部
３４　発光部
３６　回転軸
４０　通信部
４２、４２ｂ　設定部
４４、４４ｂ　発光量演算部
４６、４６ｂ　表示部
４８　発光制御部
５０　シュー接点
５２　操作釦群
５４　キセノン管
５６　配光角調整部
５８　バウンス角度表示部
６２　モード釦
６４　選択釦
６６　プラス釦
６８　マイナス釦
【図１】
2004038092.tif 000005
【図２】
2004038092.tif 000006
【図３】
2004038092.tif 000007
【図４】
2004038092.tif 000008
【図５】
2004038092.tif 000009
【図６】
2004038092.tif 000010
【図７】
2004038092.tif 000011
【図８】
2004038092.tif 000012
【図９】
2004038092.tif 000013
【図１０】
2004038092.tif 000014